(57)【要約】【課題】動メスによる固定メスへの押し付け力の制限を受けることなく布の押圧力を調節すること。【解決手段】押さえ３０と、押さえ軸３１と、押さえ圧調節ばね３２と、押さえ圧調節部材３３と、固定メス３４と、動メス３５と、メス駆動腕３９と、動メス軸３６と、メス圧調節ばね３７と、メス圧調節部材３８と、を備えるミシンの布切り装置３において、動メスは、固定メスの下側に配置され、動メスを固定メスに付勢するメス圧調節ばねは、動メスを上方に付勢する。【選択図】図３
2009219600.tif 000002
【特許請求の範囲】
【請求項１】
ミシンのフレームに上下方向に移動可能に設けられた押さえ軸と、
前記押さえ軸を下方に付勢する押さえ圧調節ばねと、
前記押さえ軸の下端に設けられ、前記押さえ圧調節ばねの付勢により布を下方に付勢する押さえと、
前記押さえに設けられた固定メスと、
水平方向に移動する動メスと、
前記動メスを前記固定メスに付勢するメス圧調節ばねとを備え、
前記押さえに設けられた布案内部に送り込まれた布を、前記固定メスと前記動メスの共動により切断するミシンの布切り装置において、
前記動メスは、前記固定メスの下側に配置され、
前記動メスを前記固定メスに付勢するメス圧調節ばねは、前記動メスを上方に付勢することを特徴とするミシンの布切り装置。
【請求項２】
ミシンのフレームに上下方向に移動可能に設けられた押さえ軸と、
前記押さえ軸を下方に付勢する押さえ圧調節ばねと、
前記押さえ軸の下端に設けられ、前記押さえ圧調節ばねの付勢により布を下方に付勢する押さえと、
固定メスと、
水平方向に移動する動メスと、
前記動メスを前記固定メスに付勢するメス圧調節ばねとを備え、
前記押さえに設けられた布案内部に送り込まれた布を、前記固定メスと前記動メスの共動により切断するミシンの布切り装置において、
前記固定メスはミシンのフレームに固定され、前記押さえの側面に設けられた貫通孔を通過し、前記押さえに設けられた前記布案内部に前記固定メスの先端部が配置されたことを特徴とするミシンの布切り装置。
【請求項３】
ミシンのフレームに上下方向に移動可能に設けられた押さえ軸と、
前記押さえ軸を下方に付勢する押さえ圧調節ばねと、
前記押さえ軸の下端に設けられ、前記押さえ圧調節ばねの付勢により布を下方に付勢する押さえと、
押さえに設けられた固定メスと、
水平方向に移動する動メスと、
前記動メスを前記固定メスに付勢するメス圧調節ばねとを備え、
前記押さえに設けられた布案内部に送り込まれた布を、前記固定メスと前記動メスの共動により切断するミシンの布切り装置において、
前記メス圧調節ばねの前記動メスを付勢する側と反対の一端は、前記押さえ軸を付勢することを特徴とするミシンの布切り装置。
【発明の詳細な説明】
【技術分野】
【０００１】
本発明は、ミシンの布切り装置に関する。
【背景技術】
【０００２】
ミシンの押さえに設けられた布案内部に送り込まれた布（被縫製物）を固定メスと動メスにより切断する布切り装置が知られている（例えば、特許文献１参照。）。
図１１〜図１３に示すように、従来の布切り装置１００には、ミシンフレーム１０１の先端部において、押さえ軸１０２が上下動自在に設けられている。この押さえ軸１０２の下端には、ミシンベッド上に載置された布を上方から押さえつける押さえ１０３が設けられている。この押さえ１０３には、布が送り込まれる側に二股形状を有する布案内部１１３が設けられ、二股の奥側には固定メス１０４が固定されている。
【０００３】
押さえ軸１０２の上端には、押さえ１０３が布を押し付ける力（押さえ圧）を付勢する押さえ圧調節ばね１０５が設けられている。押さえ圧調節ばね１０５は、ミシンフレーム１０１に設けられた押さえ軸メタル１０６内に押さえ軸１０２の軸線方向に沿って伸縮可能となるように設けられている。
押さえ圧調節ばね１０５の上端には、外周部にねじ１０７ａが成形された押さえ圧調節ねじ１０７が設けられている。押さえ圧調節ねじ１０７に成形されたねじ１０７ａは、押さえ軸メタル１０６の内周面に形成されたねじ溝１０６ａに螺合し、このねじ溝１０６ａの任意の位置で押さえ圧調節ねじ１０７を位置決めすることで、押さえ圧調節ばね１０５の圧縮量を決めることができる。そして、押さえ圧調節ばね１０５の圧縮量に応じて布の押さえ圧を調節することができる。
【０００４】
また、押さえ軸１０２の外周には、メス駆動腕１０８が回転自在に軸支されている。このメス駆動腕１０８には、その腕部の先端に動メス軸１０９が上下動自在に設けられている。この動メス軸１０９の下端には、動メス１１０が固定されている。メス駆動腕１０８は、ミシンモータの駆動によって図示しない駆動伝達機構を介して、押さえ軸１０２を中心として回転揺動する。
動メス軸１０９の外周には、動メス１１０による固定メス１０４への押し付けける力（メス圧）を付勢するメス圧調節ばね１１１が嵌められている。メス圧調整ばね１１１の上端は、メス駆動腕１０８の先端に設けられたバネ受け部１０８ａに圧接し、下端は、動メス軸１０９の外周に嵌められメス軸１０９の軸方向の取付け位置を調節可能に設けられたメス圧調節抱き１１２の上端面に圧接する。そしてメス圧調節抱き１１２の動メス軸１０９への軸方向の取付け位置を調整することにより、メス圧調節ばね１１１の圧縮量を決めることができ、この圧縮量に応じて動メス１１０の固定メス１０４へのメス圧を調節することができる。
【０００５】
図１３に示すように、布を切断する際には、メス駆動腕１０８を押さえ軸１０２まわりに回転することにより、動メス１１０もメス駆動腕１０８と共に移動し、固定メス１０４の上方で固定メス１０４に摺接しながら移動する。これにより、固定メス１０４と動メス１１０とに挟まれた布は切断される。ここで、動メス１１０は、メス圧調節ばね１１１の弾性力によって固定メス１０４側に押し付けられているので、固定メス１０４と動メス１１０との間に隙間ができて布が切断できないような状態になることを防止している。
【特許文献１】特開２００１−１３７５８１号公報
【発明の開示】
【発明が解決しようとする課題】
【０００６】
しかし、図１２に示すように、従来の布切り装置１００の構造では、押さえ１０３による布の押さえ圧、及び動メス１１０による固定メス１０４へのメス圧は、ともに下方に作用するようになっている。そのため、押さえ１０３には、押さえ軸１０２からの押さえ圧に加えて動メス１１０からのメス圧が、押さえ１０３に固定された固定メス１０４を介して作用することになる。
そのため、押さえ１０３による布の押さえ圧を弱くしたい場合に押さえ圧調節ばね１０５から押さえ軸１０２にかける力を弱くしても、動メス１１０が固定メス１０４を押し付ける力（メス圧）が押さえ１０３に作用しているため、押さえ１０３による布の押さえ圧をこのメス圧以下にすることはできなかった。その結果、薄物の生地の縫製を行う場合のように押さえ圧を出来る限り弱くしたい場合に対応することが困難であった。
【０００７】
本発明は、上記課題を解決するためになされたものであり、動メスによる固定メスへのメス圧による制限を受けることなく布の押圧力を調節することができるミシンの布切り装置を提供することを目的とする。
【課題を解決するための手段】
【０００８】
請求項１に記載の発明は、
ミシンのフレーム（１）に上下方向に移動可能に設けられた押さえ軸（３１）と、
前記押さえ軸を下方に付勢する押さえ圧調節ばね（３２）と、
前記押さえ軸の下端に設けられ、前記押さえ圧調節ばねの付勢により布を下方に付勢する押さえ（３０）と、
前記押さえに設けられた固定メス（３４）と、
水平方向に移動する動メス（３５）と、
前記動メスを前記固定メスに付勢するメス圧調節ばね（３７）とを備え、
前記押さえに設けられた布案内部（４０）に送り込まれた布を、前記固定メスと前記動メスの共動により切断するミシンの布切り装置（３）において、
前記動メスは、前記固定メスの下側に配置され、
前記動メスを前記固定メスに付勢するメス圧調節ばねは、前記動メスを上方に付勢することを特徴とする。
【０００９】
請求項１に記載の発明によれば、押さえ圧調節ばねは押さえを下方に向かって付勢し、メス圧調節ばねは動メスを上方に向かって付勢するので、それぞれのばねにより付勢される方向が上下逆方向となる。また、動メスの上面が固定メスの下面を付勢する力（メス圧）は、固定メスを介して押さえに上向きに作用する。
これにより、押さえが布を押し付ける力（押さえ圧）は、押さえ圧調節ばねが押さえを押し付ける力から、メス圧調節ばねが動メスを押し付ける力を差し引いた量となる。よって、薄物の布を縫製する場合のように押さえによる布への押圧力を極力小さくしたい場合には、押さえ圧調節ばねが押さえを押し付ける力（押さえ圧）の量を、メス圧調節ばねが動メスを押し付ける力（メス圧）の量をわずかに上回るように調節すればよい。これにより従来は不可能であった動メスの固定メスへのメス圧以下での布の押さえ圧を実現することができる。
よって、布を切断するために必要なメス圧が固定メスに作用するように維持しながらも、動メスによる固定メスのメス圧により制限を受けることなく押さえによる押さえ圧を調節することができる。
【００１０】
請求項２に記載の発明は、
ミシンのフレーム（１）に上下方向に移動可能に設けられた押さえ軸（３１）と、
前記押さえ軸を下方に付勢する押さえ圧調節ばね（３２）と、
前記押さえ軸の下端に設けられ、前記押さえ圧調節ばねの付勢により布を下方に付勢する押さえ（３０）と、
固定メス（３４）と、
水平方向に移動する動メス（３５）と、
前記動メスを前記固定メスに付勢するメス圧調節ばね（３７）とを備え、
前記押さえに設けられた布案内部（４０）に送り込まれた布を、前記固定メスと前記動メスの共動により切断するミシンの布切り装置（４）において、
前記固定メスはミシンのフレームに固定され、前記押さえの側面に設けられた貫通孔を通過し、前記押さえに設けられた前記布案内部に前記固定メスの先端部が配置されたことを特徴とする。
【００１１】
請求項２に記載の発明によれば、固定メスは、押さえではなく、ミシンのフレームに固定されているため、動メスが固定メスに摺接して固定メスを押し付けることになってもその押し付け力は固定メスからフレームに伝達されるため、押さえに伝達されることはない。
これにより、動メスによる固定メスへの押し付け力は、押さえによる布の押圧力（押さえ圧）に加わることがない。そのため、押さえによる押さえ圧を動メスのメス圧に関係なく自由に調節することができる。すなわち、従来は不可能であった動メスの固定メスへのメス圧以下での押さえ圧を実現することができる。
よって、布を切断するために必要なメス圧が固定メスに作用するように維持しながらも、動メスによる固定メスのメス圧により制限を受けることなく押さえによる押さえ圧を調節することができる。
【００１２】
請求項３に記載の発明は、
ミシンのフレーム（１）に上下方向に移動可能に設けられた押さえ軸（３１）と、
前記押さえ軸を下方に付勢する押さえ圧調節ばね（３２）と、
前記押さえ軸の下端に設けられ、前記押さえ圧調節ばねの付勢により布を下方に付勢する押さえ（３０）と、
押さえに設けられた固定メス（３４）と、
水平方向に移動する動メス（３５）と、
前記動メスを前記固定メスに付勢するメス圧調節ばね（３７）とを備え、
前記押さえに設けられた布案内部（４０）に送り込まれた布を、前記固定メスと前記動メスの共動により切断するミシンの布切り装置（５）において、
前記メス圧調節ばねの前記動メスを付勢する側と反対の一端は、前記押さえ軸を付勢することを特徴とする。
【００１３】
請求項３に記載の発明によれば、動メス調整ばねの自然長に戻ろうとする上向きの弾性力は、押さえが受け、下向きの弾性力も押さえが受ける。よって、メス圧調節ばねの推し付け力は、押さえ内で釣り合い、押さえの外部には作用しないため、押さえが、布を押し付ける力には影響を与えない。
これにより、押さえによる布の押圧力を動メスの押し付け力に関係なく自由に調節することができる。すなわち、従来は不可能であった押し付け力以下での布の押圧を実現することができる。
よって、布を切断するために必要な押し付け力が固定メスに作用するように維持しながらも、動メスによる固定メスの押し付け力により制限を受けることなく押さえによる布の押圧力を調節することができる。
【発明の効果】
【００１４】
本発明によれば、布を切断するために必要なメス圧が固定メスに作用するように維持しながらも、動メスによる固定メスのメス圧による制限を受けることなく押さえによる布の押さえ圧を調節することができる。
【発明を実施するための最良の形態】
【００１５】
以下、図面を参照して、本発明に係るミシンの布切り装置の最良の形態について詳細に説明する。
［第１の実施形態］
＜ミシンの構成＞
図１〜図５に示すように、ミシン１００は、送り出し腕型の飾り縫いミシンである。このミシン１００は、例えば、ブリーフの股継ぎなど、段部工程も左右両方の生地端を同時にカットすることができ、作業効率のよいミシンである。
ミシン１００は、ベッド部１ａ、アーム部１ｂを有するミシンフレーム１を備え、このミシンフレーム１内に各駆動機構が設けられている。
ミシンフレーム１の先端（アーム部１ｂの先端顎部近傍）には、縫い針を上下動させて被縫製物としての布に飾り縫いを形成する針棒機構２が設けられている。この針棒機構２に隣接するように布切り装置３が設けられている。
【００１６】
（布切り装置の全体構成）
布切り装置３は、ミシンベッド１ａの上面に配置され、ミシンベッド１ａの上面に載置された布を上方から押さえつける押さえ３０と、ミシンフレーム１のアーム部１ｂに上下方向に移動自在に設けられ、下端に押さえ３０を保持する押さえ軸３１と、自身の弾性力により押さえ３０を下方に向けて付勢することで押さえ３０に布を付勢する押さえ圧を付与する押さえ圧調節ばね３２と、押さえ圧調節ばね３２による押さえ圧の調節を行う押さえ圧調節部３３と、押さえ３０に固定された固定メス３４と、水平方向に移動し、固定メス３４に摺接して、固定メス３４との間に挟んだ布を切断する動メス３５と、ミシンフレーム１の上下方向に移動自在に設けられ、動メス３５を保持する動メス軸３６と、自身の弾性力により動メス３５を固定メス３４に付勢することでメス圧を付与するメス圧調節ばね３７と、メス圧調節ばね３７によるメス圧の量の調節を行うメス圧調節部材３８と、動メス３５に関する機構（メス圧調節ばね３７、メス圧調節部材３８）を保持するメス駆動腕３９と、を備えている。
【００１７】
（押さえ）
図４に示すように、押さえ３０には、布が送り込まれる側の形状を二股に分岐させた布案内部４０が形成され、その布案内部４０に送り込まれた布を固定メス３４及び動メス３５で切断する。
布案内部４０を形成する二股の両肢部分は、二つの板材３０ａ，３０ｂを上下方向に重ね合わせることによって形成されている。底面側となる板材３０ａの下面には、板ばね３０ｃが取り付けられている。板材３０ａの上面には、板材３０ｂが止めねじ３０ｄにより板材３０ａに取り付けられている。板材３０ａ，３０ｂは、互いを重ね合わせた際にその接合部分に貫通孔Ｓができるように形成されている。二股の肢部の一方の貫通孔Ｓには固定メス３４が貫通、保持され、他方の貫通孔Ｓには、動メス３５が挿通可能となっており、当該貫通孔Ｓを通過した動メス３５が固定メス３４に摺接することで布を切断することができる。
【００１８】
（押さえ、押さえ圧調節ばね、押さえ圧調節部）
図２，３に示すように、押さえ３０はブラケット３０ｅに取り付けられており、このブラケット３０ｅは、押さえ軸３１の下端に固定されている。押さえ軸３１は、その軸線がミシンフレーム１の上下方向に沿うように設けられている。押さえ軸３１は、アーム部１ａの上面壁及び下面壁を貫通するように配置され、アーム部１ａに対して上下動自在に支持されている。アーム部１ａの上面壁及び下面壁における押さえ軸３１の挿通箇所には、それぞれ軸受３１ａ，３１ｂが設けられ、押さえ軸３１はこれらの軸受３１ａ，３１ｂに挿通されることでミシン１００の上下方向に移動自在とされている。
【００１９】
押さえ軸３１の上端は、軸受３１ａ内に収まるように配置されている。軸受３１ａ内には、押さえ圧調節ばね３２が挿入されている。
押さえ圧調節ばね３２は、例えば、コイルばねであり、その軸線方向に伸縮自在である。押さえ圧調節ばね３２は、押さえ軸３１とほぼ同軸上に配置され、下端が押さえ軸３１の上端に当接している。
【００２０】
押さえ圧調節ばね３２の上方には、押さえ圧調節部３３が設けられている。押さえ圧調節部３３の下端は、押さえ圧調節ばね３２の上端に当接している。押さえ圧調節部３３は、その外周下部にねじ溝３３ａが形成されており、軸受３１ａの内周面に形成されたねじ溝３２ｂに螺合している。押さえ圧調節部３３を軸受３１ａへねじ込むと、押さえ軸３１の下端側は押さえ３０がベッド部１ｂに当接しているため、押さえ軸３１は移動できないため、押さえ圧調節ばね３２が変形（圧縮）する。よって、押さえ調節部３３の軸受３１ａへのねじ込み量により押さえ圧調節ばね３２が押さえ軸３１付勢する力を変化する。すなわち、押さえ圧調節部３３の軸受３１ａへのねじ込み量を調節することにより、押さえ３０の布への押さえ圧を調節することができる。
【００２１】
（動メスに関する機構）
図２〜図４に示すように、押さえ軸３１には、当該押さえ軸３１の軸線まわりに回転自在とされたメス駆動腕３９が設けられている。メス駆動腕３９は、ミシンモータの駆動により図示しない駆動伝達機構を介して、押さえ軸３１の軸線まわりに回転揺動し、動メス３５を布の切断位置と当該切断位置から離間した退避位置との間で往復移動させる。メス駆動腕３９は、正面視略コ字状に形成され、アーム部１ａの下面壁の一部を上下から挟み込むように設けられている。メス駆動腕３９の先端には、ミシン１００の上下方向に沿って離間するように配置された軸受部３９ａ，３９ｂが形成されている。この軸受部３９ａ，３９ｂには、動メス軸３６が上下方向に沿って移動自在に挿通されている。動メス軸３６の下端には、動メス３５を保持する固定台３５ａが取り付けられている。
【００２２】
固定台３５ａには、動メス３５が固定されている。動メス３５は、図４，５に示すように、メス駆動腕３９が押さえ軸３１を中心に回転した際に、固定メス３４の下側で固定メス３４の下面に当該動メス３５の上面が摺接するように固定台３５ａに固定されている。
動メス軸３６の外周にはメス圧調節ばね３７が動メス軸３６の軸線方向に伸縮自在となるように嵌められている。メス圧調節ばね３７は、軸受部３９ａと軸受部３９ｂとの間に配置され、下端が軸受部３９ｂの上面に当接するように設けられている。
【００２３】
動メス軸３６の外周には、メス圧調節ばね３７の上端と軸受部３９ａの下面との間にメス圧調節部材３８が挿通されている。メス圧調節部材３８は、軸受部３９ａと軸受部３９ｂとの間で動メス軸３６に対してその上下方向に沿った固定位置を自在に変更できるように設けられている。具体的には、メス圧調節部材３８は、抱き部材により形成され、止めねじによりメス圧調節部材３８を動メス軸３６に締め付けることで動メス軸３６に固定することができる。
【００２４】
メス圧調節部材３８の下端面はメス圧調節ばね３７の上端面と当接する。メス圧調節部材３８の動メス軸３６への固定位置を変化させると、メス圧調節ばね３７の下端は軸受部３９ｂに当接して位置が変化しないので、メス圧調節ばね３７の圧縮量が変化し、動メス３５の固定メス３４に対するメス圧を調節することができる。具体的には、メス圧調節部材３８を下側の軸受部３９ｂに近い位置で固定するほど、メス圧調節ばね３７の圧縮量が増すので、メス圧調節部材３８に作用する弾性力は増加する。その結果、メス圧調節部材３８が固定されている動メス軸３６を上方に引き上げようとする力が増加し、動メス３５の上面を上方にある固定メス３４の下面に押し付ける力（メス圧）を増加することができる。すなわち、メス圧調節ばね３７は、自身の伸縮による自然長に戻ろうとする弾性力により、メス圧調節部材３８及び動メス軸３６を介して動メス３５を上方に向けて押し上げ、当該動メス３５の上面を固定メス３４の下面に押し付ける役割を果たしている。
【００２５】
＜作用・効果＞
布切り装置１００の作用・効果について説明する。
ミシンモータの駆動により駆動伝達機構を介して、メス駆動腕３９は、押さえ軸３１の軸線まわりに回転揺動し、動メス３５も水平方向に揺動し固定メス３４と離接する。動メス３５の上面は、固定メス３４の下側で固定メスの下面に摺接しながら水平方向に揺動し、布案内部４０に送り込まれた布は固定メス３４の刃部３４ａと動メス３５の刃部３５ａによって挟まれた布が切断される。
ここで、図３に示すように、布は、押さえ３０の下面によってベッド部１ａに押さえつけられている。また、固定メス３４と動メス３５との間に隙間ができると、布を切断できなくなることから、動メス３５は固定メス３４を押し付けながら移動する。
【００２６】
押さえ圧調節部３３を回動させ、軸受３１aにねじ込むと、押さえ圧調節ばね３２は押さえ圧調節部３３に押されて圧縮される。押さえ圧調節ばね３２が自然長に戻ろうとする弾性力は、押さえ軸３１の上端面に付勢され、押さえ軸３１の下端に取り付けられた押さえ３０が布を押圧する。
一方、動メス３５は固定メス３４の下側で固定メス３４に摺接して布を切断するように構成されている。メス圧調節部材３８を下方の軸受部３９ｂ側に移動させて動メス軸３６に固定すると、メス圧調節ばね３７はメス圧調節部材３８の下端に押されて圧縮される。メス圧調節ばね３７が自然長に戻ろうとする弾性力は、メス圧調節部材３８を介して動メス軸３６に作用し、動メス軸３６を上方に押し上げる。動メス軸３６が上方に押し上げられると、動メス軸３６に固定されている動メス３５の上面は摺接する固定メス３４の下面を付勢する。
【００２７】
このように、押さえ圧調節ばね３２は押さえ３０を下方に向かって付勢し、メス圧調節ばね３７は動メス３５を上方に向かって付勢するので、それぞれのばねにより付勢される方向が上下逆方向となる。また、動メス３５の上面が固定メス３４の下面を付勢する力（メス圧）は、固定メス３４を介して押さえ３０に上向きに作用する。
これにより、押さえ３０が布を押し付ける力（押さえ圧）は、押さえ圧調節ばね３２が押さえ３０を押し付ける力から、メス圧調整ばね３７が動メス３５を押し付ける力を差し引いた量となる。よって、薄物の布を縫製する場合のように押さえ３０による布への押圧力を極力小さくしたい場合には、押さえ圧調節ばね３２が押さえ３０を押し付ける力（押さえ圧）の量を、メス圧調整ばね３７が動メス３５を押し付ける力（メス圧）の量をわずかに上回るように調整すればよい。これにより従来は不可能であった動メス３５の固定メス３４へのメス圧以下での布の押さえ圧を実現することができる。
よって、布を切断するために必要なメス圧が固定メス３４に作用するように維持しながらも、動メス３５による固定メス３４のメス圧により制限を受けることなく押さえ３０による布の押圧力を調節することができる。
【００２８】
［第２の実施形態］
次に、本発明に係るミシンの布切り装置の第２の実施形態について説明する。
なお、第２の実施形態の布切り装置４が第１の実施形態の布切り装置３と異なる部分は、固定メス３４を押さえ３０ではなく、ミシンフレーム１に固定した点であるため、異なる点を詳細に説明し、第１の実施形態と共通する構成要素には、同一符号を付して説明を省略する。
【００２９】
図６〜図８に示すように、ミシンフレーム１のアーム部１ｂの先端には、ミシンの下方に向かって延びる支持体５０が当該アーム部１ｂに連結され、固定されている。
支持体５０の下端付近の側面は、押さえ３０の側方に当接し、押さえ３０が押さえ軸３１の軸中心に回転しないように規制する。支持体５０の下端には、固定メス３４が止めねじ５１により固定されている。固定メス３４は押さえ３０の側面で、板材３０ａと板材３０ｂとの間に形成された貫通孔Ｓを通過して、先端の刃部３４ａが押さえ３０の二股部分に位置するように配置されている。この貫通孔Ｓは、図８に示すように、固定メス３４の上面及び下面に動メス３５が進入した状態で、押さえ３０が布厚に応じて上方に移動した場合でも、固定メス３４および動メス３５が押さえ３０と干渉しないように、十分な空間ができるような大きさに形成されている。
【００３０】
動メス３５は、図６，７に示すように、メス駆動腕３９が押さえ軸３１を中心に回転揺動した際に、固定メス３４の上面に当該動メス３５の下面が摺接するように固定台３５ａに固定されている。
動メス軸３６の外周にはメス圧調節ばね３７が、当該動メス軸３６の軸線方向に伸縮自在となるように嵌められている。メス圧調節ばね３７は、軸受部３９ａと軸受部３９ｂとの間に配置され、上端が上側の軸受部３９ａの下面に当接するように設けられている。
【００３１】
メス圧調節ばね３７の下方であって、軸受部３９ａと軸受部３９ｂとの間の動メス軸３６には、メス圧調節部材３８が挿通されている。メス圧調節部材３８は、軸受部３９ａと軸受部３９ｂとの間でその上下方向に沿った固定位置を自在に変更できるように設けられている。具体的には、メス圧調節部材３８は、抱き部材により形成され、止めねじによりメス圧調節部材３８を動メス軸３６に締め付けることで動メス軸３６に固定することができる。
【００３２】
また、メス圧調節部材３８の上端面はメス圧調節ばね３７の下面と当接する。メス圧調節ばね３７の上端面は軸受部３９ｂと当接し、位置が変化しないので、メス圧調節部材３８の動メス軸３６への固定位置によって、メス圧調節ばね３７の圧縮量が変化し、動メス３５の固定メス３４に対する押し付け力を調節することができる。具体的には、メス圧調節部材３８を上側の軸受部３９ａに近い位置で固定するほど、メス圧調節ばね３７の圧縮量が増すので、メス圧調節部材３８に作用する弾性力は増加する。その結果、メス圧調節部材３８が固定されている動メス軸３６を下方に引き下げようとする力が増加し、動メス３５の下面を下方にある固定メス３４の上面に押し付ける力（メス圧）を増加することができる。すなわち、メス圧調節ばね３７は、自身の伸縮による自然長に戻ろうとする弾性力により、メス圧調節部材３８及び動メス軸３６を介して動メス３５を下方に向けて押し下げ、当該動メス３５の下面を固定メス３４の上面に押し付ける役割を果たしている。
【００３３】
＜作用・効果＞
布切り装置４の作用・効果について説明する。
ミシンモータの駆動により駆動伝達機構を介して、メス駆動腕３９は、押さえ軸３１の軸線まわりに回転揺動し、動メス３５も固定メス３４に向けて移動する。動メス３５の下面は、固定メス３４の上側で固定メスの上面に摺接しながら移動し、固定メス３４の刃部３４ａと動メス３５の刃部３５ａによって挟まれた布が切断される。
ここで、図７に示すように、布は、押さえ３０の下面によってベッド部１ａに押さえつけられている。また、固定メス３４と動メス３５との間に隙間ができると、布を切断できなくなることから、動メス３５は固定メス３４を押し付けながら移動する。
【００３４】
押さえ圧調節部３３を回動させ、軸受３１aに対してねじ込むと、押さえ圧調節ばね３２は押さえ圧調節部３３に押されて圧縮される。押さえ圧調節ばね３２が自然長に戻ろうとする弾性力は、押さえ軸３１の上端面に付勢され、押さえ軸３１に取り付けられた押さえ３０が布を押圧する。
一方、動メス３５は固定メス３４の上側で固定メス３４に摺接して布を切断するように構成されており、メス圧調節部材３８メス圧調節部材３８を上方の軸受部３９ａ側に移動させて動メス軸３６に固定すると、メス圧調節ばね３７はメス圧調節部材３８に押されて圧縮される。メス圧調節ばね３７が自然長に戻ろうとする弾性力は、メス圧調節部材３８を介して動メス軸３６に作用し、動メス軸３６を下方に押し下げる。動メス軸３６が下方に押し下げられると、動メス軸３６に固定されている動メス３５は下面で摺接する固定メス３４の上面に押し付けられる。
【００３５】
ここで、固定メス３４は、押さえ３０ではなく、アーム部１ｂに設けられた支持体５０に固定されているため、動メス３５が固定メス３４に摺接して固定メス３４を押し付けることになってもその押し付け力は固定メス３４からアーム部１ｂに伝達されるため、押さえ３０に伝達されることはない。
これにより、動メス３５による固定メス３４への押し付け力は、押さえ３０による布の押圧力（押さえ圧）に加わることがない。そのため、押さえ３０による押さえ圧を動メス３５のメス圧に関係なく自由に調節することができる。すなわち、従来は不可能であった動メス３５の固定メス３４へのメス圧以下での押さえ圧を実現することができる。
よって、布を切断するために必要なメス圧が固定メス３４に作用するように維持しながらも、動メス３５による固定メス３４のメス圧により制限を受けることなく押さえ３０による押さえ圧を調節することができる。
【００３６】
なお、第２の実施形態においては、固定メス３４をミシンフレーム１のアーム部１ｂに設けられた支持体５０に固定したが、固定メス３４の位置が変化することがなく、押さえ３０の動作に影響を受けない部位であればミシンの他の部品に固定してもよい。また、第２の実施形態においては、動メス３５の下面が上方から固定メス３４の上面に押し付けられるように構成しているが、第１の実施形態のように、動メス３５の上面が下方から固定メス３４の下面に押し付けられるように構成としてもよい。
【００３７】
［第３の実施形態］
次に、本発明に係るミシンの布切り装置の第３の実施形態について詳細に説明する。
なお、第３の実施形態の布切り装置５が第１の実施形態の布切り装置３と異なる部分は、押さえ軸３１と動メス軸３６を連結部材６０で連結した点であるため、異なる点を詳細に説明し、第１の実施形態と共通する構成要素には、同一符号を付して説明を省略する。
図９，１０に示すように、動メス３５は、メス駆動腕３９が押さえ軸３１を中心に回転揺動した際に、固定メス３４の上面に当該動メス３５の下面が摺接するように固定台３５ａに固定されている。
動メス軸３６の外周にはメス圧調節ばね３７が、当該動メス軸３６の軸線方向に伸縮自在となるように嵌められている。動メス調整ばね３７の上端は後述する連結部材６０の下面に当接し、下端は後述する動メス調整部の上端面に当接する。
【００３８】
動メス軸３６の外周には、メス圧調節ばね３７の下端と軸受部３９ｂ上面との間にメス圧調節部材３８が挿通されている。メス圧調節部材３８は、軸受部３９ａと軸受部３９ｂとの間でその上下方向に沿った固定位置を自在に変更できるように設けられている。具体的には、メス圧調節部材３８は、抱き部材により形成され、止めねじによりメス圧調節部材３８を動メス軸３６に締め付けることで動メス軸３６に固定される。
【００３９】
連結部材６０は長板上の部品であり、上下方向に貫通する孔６０ａ、６０ｂを長手方向の両端部に有する。孔６０ａは動メス軸３６に回転、上下方向に移動可能に嵌合する。孔６０ｂは押さえ軸３１に回転可能に嵌合する。連結部材６０は孔６０ｂと押さえ軸３１の嵌合により、水平の姿勢を保つ。
カラー６１は上方をメス駆動腕３９、下方を連結部材６０に当接し、押さえ軸３１に嵌合、固定される。
連結部材６０は、メス駆動腕３９と共に、押さえ軸３１を軸心として回転揺動する。連結部材６０は、下面をメス圧調節ばね３７に付勢され、上面がカラー６１の下端に当接した高さに位置する。
【００４０】
また、メス圧調節部材３８の上端面にはメス圧調節ばね３７が当接するので、メス圧調節部材３８の動メス軸３６への固定位置によって動メス３５の固定メス３４に対する押し付け力を調節することができる。具体的には、メス圧調節部材３８を連結部材６０に近い位置で固定するほど、メス圧調節ばね３７の圧縮量が増すので、メス圧調節部材３８に作用する弾性力は増加する。その結果、メス圧調節部材３８が固定されている動メス軸３６を下方に引き下げようとする力が増加し、動メス３５の下面を下方にある固定メス３４の上面に押し付ける力を増加することができる。すなわち、メス圧調節ばね３７は、自身の伸縮による自然長に戻ろうとする弾性力により、メス圧調節部材３８及び動メス軸３６を介して動メス３５を下方に向けて押し下げ、当該動メス３５の下面を固定メス３４の上面に押し付ける役割を果たしている。
【００４１】
＜作用・効果＞
布切り装置５の作用・効果について説明する。
ミシンモータの駆動により駆動伝達機構を介して、メス駆動腕３９は、押さえ軸３１の軸線まわりに回転揺動し、動メス３５も水平方向に揺動し固定メス３４と離接する。動メス３５の下面は、固定メス３４の上側で固定メスの上面に摺接しながら水平方向に揺動し、布案内部４０に送り込まれた布は固定メス３４の刃部３４ａと動メス３５の刃部３５ａによって挟まれた布が切断される。
ここで、布は、押さえ３０の下面によってベッド部１ａに押さえつけられている。また、固定メス３４と動メス３５との間に隙間ができると、布を切断できなくなることから、動メス３５は固定メス３４を押し付けながら移動する。
【００４２】
押さえ圧調節部３３を回動させ、軸受３１aにねじ込むと、押さえ圧調節ばね３２は押さえ圧調節部３３に押されて圧縮される。押さえ圧調節ばね３２が自然長に戻ろうとする弾性力は、押さえ軸３１の上端面に付勢され、押さえ軸３１に取り付けられた押さえ３０が布を押圧する。
一方、動メス３５は固定メス３４の上側で固定メス３４に摺接して布を切断するように構成されており、メス圧調節部材３８を上方の連結部材６０側に移動させて動メス軸３６に固定すると、メス圧調節ばね３７はメス圧調節部材３８に押されて圧縮される。メス圧調節ばね３７が自然長に戻ろうとする弾性力は、メス圧調節部材３８を介して動メス軸３６に作用し、動メス軸３６を下方に押し下げる。動メス軸３６が下方に押し下げられると、動メス軸３６に固定されている動メス３５の下面は下方で摺接する固定メス３４の上面に押し付けられる。
【００４３】
ここで、動メス調整ばね３７の自然長に戻ろうとする上向きの弾性力は、連結部材６０、カラー６１、押さえ軸３１を介して押さえ３０が受け、下向きの弾性力も動メス調整部材３８、動メス軸３６、動メス３５、固定メス３４を介して押さえ３０が受ける。よって、メス圧調節ばね３７の推し付け力は、押さえ３０内で釣り合い、押さえ３０の外部には作用しないため、押さえ３０が、布を押し付ける力には影響を与えない。
これにより、押さえ３０による布の押圧力を動メス３５の押し付け力に関係なく自由に調節することができる。すなわち、従来は不可能であった押し付け力以下での布の押圧を実現することができる。
よって、布を切断するために必要な押し付け力が固定メス３４に作用するように維持しながらも、動メス３５による固定メス３４の押し付け力により制限を受けることなく押さえ３０による布の押圧力を調節することができる。
【図面の簡単な説明】
【００４４】
【図１】布切り装置を備えるミシンの概略を示す斜視図。
【図２】第１の実施形態における布切り装置の斜視図。
【図３】第１の実施形態における布切り装置の機構について説明する模式図。
【図４】第１の実施形態における布切り装置の平面図。
【図５】第１の実施形態における布切り装置の押さえ及びメス近傍の正面図。
【図６】第２の実施形態における布切り装置の斜視図。
【図７】第２の実施形態における布切り装置の機構について説明する模式図。
【図８】第２の実施形態における押さえと固定メスの位置関係を説明する模式図。
【図９】第３の実施形態における布切り装置の斜視図。
【図１０】第３の実施形態における布切り装置の機構について説明する模式図。
【図１１】従来技術における布切り装置の斜視図。
【図１２】従来技術における布切り装置の機構について説明する模式図。
【図１３】従来技術における布切り装置の平面図。
【符号の説明】
【００４５】
１  ミシンフレーム
３  布切り装置
４  布切り装置
５  布切り装置
３０  押さえ
３１  押さえ軸
３２  押さえ圧調節ばね
３３  押さえ圧調節部材
３４  固定メス
３５  動メス
３６  動メス軸
３７  メス圧調節ばね
３８  メス圧調節部材
３９  メス駆動腕
６０  連結部材
【図１】
2009219600.tif 000003
【図２】
2009219600.tif 000004
【図３】
2009219600.tif 000005
【図４】
2009219600.tif 000006
【図５】
2009219600.tif 000007
【図６】
2009219600.tif 000008
【図７】
2009219600.tif 000009
【図８】
2009219600.tif 000010
【図９】
2009219600.tif 000011
【図１０】
2009219600.tif 000012
【図１１】
2009219600.tif 000013
【図１２】
2009219600.tif 000014
【図１３】
2009219600.tif 000015